(57)【要約】【課題】更新されたページの特徴が素早く簡単に把握でき、目的のページが容易に検索できる情報表示装置を提供すること。【解決手段】連続ページ更新操作部を有し、連続ページ更新操作部が操作されると、更新ページの前面に更新ページの特徴領域を重ねた合成ページを生成して表示部への表示を更新し、連続ページ更新操作部が操作されている間、合成ページの生成と更新とを繰り返し行うことで、更新されたページの特徴が素早く簡単に把握でき、目的のページが容易に検索できる情報表示装置を提供することができる。【選択図】図１
2010224358.tif 000002
【特許請求の範囲】
【請求項１】
情報を表示する表示部と、
前記表示部の表示を制御する表示制御部と、
前記表示部の表示の更新を指示する操作部とを備えた情報表示装置において、
前記操作部は、ページ更新操作部と連続ページ更新操作部とを有し、
前記表示制御部は、
前記ページ更新操作部が操作されると、前記表示部の表示を１ページ更新し、
前記連続ページ更新操作部が操作されると、更新ページの一部で、検索のための手がかりとなる特徴を有する特徴領域を、前記更新ページに重ね合わせた合成ページを生成し、前記表示部の表示を前記合成ページに更新し、前記連続ページ更新操作部が操作されている間、合成ページの生成と前記表示部の表示の更新とを繰り返し行うことを特徴とする情報表示装置。
【請求項２】
前記特徴領域は、前記更新ページにある図、表、グラフ、画像、追記領域およびページ番号の内の少なくとも１つであることを特徴とする請求項１に記載の情報表示装置。
【請求項３】
前記特徴領域は、予め用意された前記更新ページにある前記特徴領域の内容を表すマークであることを特徴とする請求項１に記載の情報表示装置。
【請求項４】
前記特徴領域は、前記更新ページにある手書き情報と、前記更新ページの前記手書き情報が書き込まれた部分の元の情報とであることを特徴とする請求項１に記載の情報表示装置。
【請求項５】
前記特徴領域は、所定の倍率に拡大または縮小されて、更新ページの前面の所定の位置に重ねて合成されることを特徴とする請求項１から４の何れか１項に記載の情報表示装置。
【請求項６】
前記所定の位置は、前記表示部の表示領域の中央であることを特徴とする請求項５に記載の情報表示装置。
【請求項７】
前記所定の位置は、前記更新ページの前記特徴領域の近傍であることを特徴とする請求項５に記載の情報表示装置。
【請求項８】
前記連続ページ更新操作部の操作が終了されると、前記表示部の表示を、前記合成ページから、前記合成ページの元となった更新ページに戻すことを特徴とする請求項１から７の何れか１項に記載の情報表示装置。
【発明の詳細な説明】
【技術分野】
【０００１】
本発明は、情報表示装置に関し、特に電気化学表示素子を用いた情報表示装置に関する。
【背景技術】
【０００２】
近年、パーソナルコンピュータの動作速度の向上、ネットワークインフラの普及、データストレージの大容量化と低価格化等に伴い、従来は紙への印刷物で提供されたドキュメントや画像等の情報を、より簡便な電子情報として入手、閲覧する機会が益々増大している。
【０００３】
このような電子情報の閲覧手段としては、従来の液晶ディスプレイやＣＲＴ、また近年では、有機ＥＬディスプレイ等の発光型ディスプレイが主として用いられているが、特に閲覧する電子情報がドキュメント情報の場合、比較的長時間にわたって閲覧手段である発光型ディスプレイを注視する必要がある。
【０００４】
しかし、一般に、発光型ディスプレイには、フリッカーで目が疲労する、持ち運びに不便で読む姿勢が制限され、静止画面に視線を合わせる必要が生じる等の欠点があり、電子情報を発光型ディスプレイで閲覧することは必ずしも人間に優しい方法とは言えない。さらに、発光型ディスプレイでは、長時間使用すると消費電力が嵩む等の欠点もある。
【０００５】
一方、上述した欠点を補う表示手段として、外光を利用し、像保持のために電力を消費しないメモリ性反射型ディスプレイが知られているが、下記の理由で十分な性能を有しているとは言い難い。
【０００６】
すなわち、反射型液晶等の偏光板を用いる方式は、反射率が約４０％と低く白表示に難があり、また構成部材の作製に用いる製法の多くは簡便とは言い難い。また、ポリマー分散型液晶は高い駆動電圧を必要とし、また有機物同士の屈折率差を利用しているため、得られる画像のコントラストが十分でない。また、ポリマーネットワーク型液晶は駆動電圧が高いことと、メモリ性を向上させるために複雑な回路が必要である等の課題を抱えている。
【０００７】
また、電気泳動法による表示素子も、１０Ｖ以上の高い駆動電圧が必要であり、電気泳動性粒子凝集による画質劣化が起こりやすい。電気泳動性粒子を一定量で小分けする隔壁構造にすることで凝集を低減できるが、セル構成・プロセスが複雑になり、安定した製造が難しい。
【０００８】
そこで、これら上述の各方式の欠点を解消する表示方式として、金属または金属塩の溶解析出を利用するエレクトロデポジション（以下、ＥＤと言う）方式の表示素子（電気化学表示素子；以下、ＥＤ素子と言う）が注目されている。ＥＤ方式は、３Ｖ以下の低電圧で駆動が可能で、簡便なセル構成や、明るいペーパーライクな白と引き締まった黒という優れた表示品位等の特長を持っている。また、メモリ性を有するため、像保持のために電力を消費しない。
【０００９】
ここで、ＥＤ素子の表示原理について、図１０を用いて簡単に説明する。ここでは、ＥＤ素子１７は２つの画素１１ａと１１ｂとで構成されているとする。
【００１０】
図１０（ａ）および（ｂ）において、ＥＤ素子１７は、駆動基板１０１上に設けられた画素１１ａの画素電極１１１ａおよび画素１１ｂの画素電極１１１ｂと、コモン基板１０３の下に設けられた画素１１ａと１１ｂとに共通のコモン電極１１３とで、電解液１２３に例えば銀イオン１２５が溶解された電解液層１２１を挟み込んだ構造をしている。
【００１１】
コモン電極１１３には、通常はＩＴＯ（酸化インジウムスズ）電極等の透明電極が用いられ、画素電極１１１ａおよび１１１ｂには、通常は化学的に安定な金属、例えば銀電極が用いられる。
【００１２】
図１０（ａ）において、スイッチＳＷ１が閉じられると、コモン電極１１３のコモン電圧Ｖｃｏｍとして、画素電極１１１ａに対して閾値以上の負の電圧−Ｖｂが印加され、コモン電極１１３から電子が注入されてコモン電流Ｉｃｏｍが流れ、コモン電極１１３の画素電極１１１ａに対向する位置に、銀イオン１２５が還元された銀の層１２７が析出される。これをコモン電極１１３側から見ると、銀の層１２７が析出した部分が黒く見える。この時、スイッチＳＷ２はオフであるので、コモン電極１１３と画素電極１１１ｂとの間には電圧は印加されず、銀の層１２７の析出はない。
【００１３】
図１０（ｂ）において、同様に、コモン電極１１３のコモン電圧Ｖｃｏｍとして、画素電極１１１ａに対して閾値以上の正の電圧Ｖｗが印加されると、コモン電極１１３の画素電極１１１ａに対向する位置に析出された銀の層１２７が酸化されて銀イオン１２５になり、電解液１２３の内部に分散される。この時、スイッチＳＷ２はオフであるので、コモン電極１１３と画素電極１１１ｂとの間には電圧は印加されない。
【００１４】
銀の層１２７が銀イオン１２５に変化した状態は、コモン電極１１３側から見ると透明であるため、電解液１２３を白く着色しておく、あるいは画素電極の上に拡散層を設ける等により、白く見える。このようにして白と黒の表示を切り替えることができる。上述したＥＤ素子の画素１１ａおよび１１ｂを駆動基板１０１上に二次元マトリクス状に配置することで、二次元ディスプレイを構成することができる。
【００１５】
図１０では、スイッチＳＷ１およびＳＷ２を用いてＥＤ素子１７の画素１１ａおよび１１ｂに電圧を印加するとしたが、通常は、スイッチとして１画素当たり２個のＴＦＴ（薄膜トランジスタ）を用いて電圧を印加する、有機ＥＬ表示装置等で一般的に使われている所謂アクティブマトリクス方式で駆動される。
【００１６】
次に、ＥＤ素子で、析出電圧を画素電極に印加する時間を制御して階調表示を行う方法について、図１１を用いて簡単に説明する。
【００１７】
図１１において、コモン電極１１３のコモン電圧Ｖｃｏｍとして、負の析出電圧−Ｖｂが印加されると、画素電極１１１ａからコモン電極１１３に向かって、最初に大きく、徐々に小さくなるようなコモン電流Ｉｃｏｍが流れ、コモン電極１１３の画素電極１１１ａに対向する位置に、銀の層１２７が析出される。析出された銀の層１２７をコモン電極１１３の側から見ると、画素１１ａの表示の濃度Ｄは、電圧−Ｖｂの印加時間ｔｐが長くなるに従って、白表示Ｗから灰表示Ｇ、黒表示Ｂへと濃く変化する。
【００１８】
従って、電圧−Ｖｂの印加時間ｔｐを、灰表示Ｇまでの時間ｔｇあるいは黒表示Ｂまでの時間ｔｂに制御することで、白、灰、黒の３値表示が可能となる。そして、濃度Ｄ即ち電圧−Ｖｂの印加時間ｔｐをさらに細かく分割することで、３値以上の多値表示も可能である。
【００１９】
例えば、特許文献１には、画素回路が金属を析出させるための析出電圧を画素電極に印加する時間を制御して階調表示を行う方法や、析出電圧を多段階に変化させる方法が開示されている。
【先行技術文献】
【特許文献】
【００２０】
【特許文献１】特許第３９８５６６７号公報
【発明の概要】
【発明が解決しようとする課題】
【００２１】
ところで、上述したＥＤ素子を用いた情報表示装置で電子情報を閲覧する場合は、紙文書で閲覧する場合に比べて問題が多い。その一つとして、目的のページを探すページ検索がある。紙文書の場合には、目的のページにある図やグラフといった目的のページの特徴を思い浮かべながら、ページを素早くめくって目的のページを見つけ出す。
【００２２】
情報表示装置で紙文書と同様の素早い検索を実現するには、まず情報表示装置の高速応答性が必要である。そして、情報表示装置で効率的な検索を実現するには、例えば上述した各ページの特徴部分の濃度を濃くしたりして、目立つ表示にする等の方法が考えられる。
【００２３】
しかしながら、上述したように、ＥＤ素子においては、濃度制御を電圧の印加時間で行うため、濃度を濃くして目立つ表示にするためには、表示に時間がかかり、高速応答性に難があり、紙文書と同様の素早い検索を実現することが難しい。
【００２４】
本発明は、上記事情に鑑みてなされたもので、表示されたページの特徴が素早く簡単に把握でき、目的のページが容易に検索できる情報表示装置を提供することを目的とする。
【課題を解決するための手段】
【００２５】
本発明の目的は、下記構成により達成することができる。
【００２６】
１．情報を表示する表示部と、
前記表示部の表示を制御する表示制御部と、
前記表示部の表示の更新を指示する操作部とを備えた情報表示装置において、
前記操作部は、ページ更新操作部と連続ページ更新操作部とを有し、
前記表示制御部は、
前記ページ更新操作部が操作されると、前記表示部の表示を１ページ更新し、
前記連続ページ更新操作部が操作されると、更新ページの一部で、検索のための手がかりとなる特徴を有する特徴領域を、前記更新ページに重ね合わせた合成ページを生成し、前記表示部の表示を前記合成ページに更新し、前記連続ページ更新操作部が操作されている間、合成ページの生成と前記表示部の表示の更新とを繰り返し行うことを特徴とする情報表示装置。
【００２７】
２．前記特徴領域は、前記更新ページにある図、表、グラフ、画像、追記領域およびページ番号の内の少なくとも１つであることを特徴とする前記１に記載の情報表示装置。
【００２８】
３．前記特徴領域は、予め用意された前記更新ページにある前記特徴領域の内容を表すマークであることを特徴とする前記１に記載の情報表示装置。
【００２９】
４．前記特徴領域は、前記更新ページにある手書き情報と、前記更新ページの前記手書き情報が書き込まれた部分の元の情報とであることを特徴とする前記１に記載の情報表示装置。
【００３０】
５．前記特徴領域は、所定の倍率に拡大または縮小されて、更新ページの前面の所定の位置に重ねて合成されることを特徴とする前記１から４の何れか１項に記載の情報表示装置。
【００３１】
６．前記所定の位置は、前記表示部の表示領域の中央であることを特徴とする前記５に記載の情報表示装置。
【００３２】
７．前記所定の位置は、前記更新ページの前記特徴領域の近傍であることを特徴とする前記５に記載の情報表示装置。
【００３３】
８．前記連続ページ更新操作部の操作が終了されると、前記表示部の表示を、前記合成ページから、前記合成ページの元となった更新ページに戻すことを特徴とする前記１から７の何れか１項に記載の情報表示装置。
【発明の効果】
【００３４】
本発明によれば、連続ページ更新操作部を有し、連続ページ更新操作部が操作されると、更新ページの前面に更新ページの特徴領域を重ねた合成ページを生成して表示部への表示を更新し、連続ページ更新操作部が操作されている間、合成ページの生成と更新とを繰り返し行うことで、更新されたページの特徴が素早く簡単に把握でき、目的のページが容易に検索できる情報表示装置を提供することができる。
【図面の簡単な説明】
【００３５】
【図１】本発明における情報表示装置の第１の実施の形態の構成の一例を示す外観模式図である。
【図２】本発明における情報表示装置の第１の実施の形態の構成の一例を示す回路ブロック図である。
【図３】閲覧のための情報ファイルを構成する各要素を示す模式図である。
【図４】閲覧のための情報ファイルの構成を示す模式図である。
【図５】第１の実施の形態の動作を示すフローチャートである。
【図６】図５のサブルーチンを示すフローチャートである。
【図７】合成ページの表示の例を示す模式図である。
【図８】本発明における情報表示装置の第２の実施の形態の構成の一例を示す外観模式図である。
【図９】第２の実施の形態の動作を示すフローチャートである。
【図１０】ＥＤ素子の表示原理を示す模式図である。
【図１１】ＥＤ素子で、析出電圧を画素電極に印加する時間を制御して階調表示を行う方法を示す模式図である。
【発明を実施するための形態】
【００３６】
以下、本発明を図示の実施の形態に基づいて説明するが、本発明は該実施の形態に限らない。なお、図中、同一あるいは同等の部分には同一の番号を付与し、重複する説明は省略する。
【００３７】
まず、本発明における情報表示装置の第１の実施の形態の構成の一例を、図１および図２を用いて説明する。図１は、本発明における情報表示装置の第１の実施の形態の構成の一例を示す外観模式図である。また、図２は、本発明における情報表示装置の第１の実施の形態の構成の一例を示す回路ブロック図である。
【００３８】
図１において、情報表示装置１は、その表面に、ＥＤ素子からなる表示部１０を備えている。また、情報表示装置１は、同じくその表面に、表示部１０に表示される情報を操作するための送り操作部５１、戻し操作部５２、連続送り操作部５３および連続戻し操作部５４等で構成される操作部５を備えている。
【００３９】
ここに、送り操作部５１および戻し操作部５２は、本発明におけるページ更新操作部として機能し、連続送り操作部５３および連続戻し操作部５４は、本発明における連続ページ更新操作部として機能する。
【００４０】
第１の実施の形態では、送り操作部５１あるいは戻し操作部５２が操作されると、表示部１０の表示を１ページだけ先にあるいは前に更新し、連続送り操作部５３あるいは連続戻し操作部５４が操作されると、更新ページの前面に更新ページの特徴領域を重ねた合成ページを生成して表示部の表示を合成ページに更新し、連続送り操作部５３あるいは連続戻し操作部５４が操作されている間、合成ページの生成と表示部の表示の更新とを繰り返し行う。詳細な動作は、図５および図６で説明する。
【００４１】
図２において、情報表示装置１は、表示制御部２、操作部５、記憶部６および表示部１０等で構成されている。表示制御部２は、ＣＰＵ３、表示コントローラ４等で構成されている。各部は、バス９を介して、あるいは直接に接続されている。
【００４２】
ＣＰＵ３は、記憶部６のＲＯＭに記憶されたプログラムを、記憶部６のＲＡＭ上に展開し、プログラムに従って、表示コントローラ４を介した表示部１０への表示動作や、情報表示装置１の各動作を制御する。
【００４３】
表示コントローラ４は、ＣＰＵ３の制御下で、記憶部６に記憶された閲覧のための情報ファイルの表示部１０への表示を制御する。表示コントローラ４は、例えばＣＭＯＳ−ＬＳＩやゲートアレイ等のハードウェアロジックやマイクロコンピュータチップ等により構成される。
【００４４】
操作部５は、上述したように、送り操作部５１、戻し操作部５２、連続送り操作部５３および連続戻し操作部５４等で構成される。上述した各操作部材はＣＰＵ３に接続されており、表示部１０への表示動作等の情報表示装置１の各動作を操作する。
【００４５】
記憶部６は、プログラムを記憶するＲＯＭ、プログラムを展開するＲＡＭ、閲覧のための情報ファイルを記憶するメモリ部、表示部１０に表示される１ページ分の情報を一時記憶するフレームメモリ等の記憶手段で構成され、ＣＰＵ３や表示コントローラ４の動作に寄与する。
【００４６】
表示部１０は、ＥＤ素子と周辺回路等とで構成され、表示コントローラ４の制御により、記憶部６に記憶された閲覧のための情報ファイルを表示する。
【００４７】
次に、記憶部６のメモリ部に記憶されている閲覧のための情報ファイルの構成について、図３および図４を用いて説明する。図３は、閲覧のための情報ファイルを構成する各要素を示す模式図である。また、図４は、閲覧のための情報ファイルの構成を示す模式図である。
【００４８】
図３において、閲覧のための情報ファイルは複数のページ２０で構成され、各ページ２０は、ページ番号２１、文書２２、図２３、表２４および手書き領域２５等で構成されている。手書き領域２５には、手書きされた線２５ａや文字２５ｂ等だけでなく、何に対して手書きによる書き込みが行われたかが分かるように、それらが書かれた文書２２や図２３等の地の部分２５ｃ等も含まれる。
【００４９】
ここでは、文書２２以外の、ページ番号２１、図２３、表２４および手書き領域２５等のような、ページ２０を検索する手がかりとなる特徴を有する領域を、ページ２０が有する特徴領域２８とする。特徴領域２８には、その他に、画像２６や追記領域２７といったものも挙げられる。ただし、例えば写真集の中の文章のように、文書２２がそのページ２０の検索の手がかりとなる特徴を示す領域となる場合には、文書２２も特徴領域２８としてもよい。
【００５０】
図４において、ページ２０の情報ファイルＤ２０は、ページ番号データＤ２１、文書データＤ２２、図データＤ２３、表データＤ２４、手書き領域データＤ２５、図示しない画像データＤ２６や追記領域データＤ２７、および特徴領域属性データＤ２８等で構成される。特徴領域属性データＤ２８は、ページ２０に存在する特徴領域２８の属性に関するデータ、例えば、存在する特徴領域２８の種類（図、表等）とその大きさ、位置等を示すデータである。図４の例では、１ページから１２ページまでの各ページ毎に、上述したＤ２１からＤ２５とＤ２８の各データで構成されるページ２０の情報ファイルＤ２０が形成され、記憶部６に格納されている。
【００５１】
次に、第１の実施の形態の動作について、図５および図６を用いて説明する。図５は、第１の実施の形態の動作を示すフローチャートである。また、図６は、図５のサブルーチンを示すフローチャートで、図６（ａ）は図５のステップＳ２３のサブルーチン、図６（ｂ）は図５のステップＳ４３のサブルーチンである。
【００５２】
図５において、ステップＳ１１で、送り操作部５１が操作されたか否かが確認される。操作されなかった場合（ステップＳ１１；Ｎｏ）、ステップＳ２１に進む。操作された場合（ステップＳ１１；Ｙｅｓ）、ステップＳ１３で、表示部１０の表示が次ページに更新されて、ステップＳ１１に戻る。ここで、次ページは、記憶部６に記憶されている次ページがそのまま表示される。
【００５３】
ステップＳ２１で、連続送り操作部５３が操作されたか否かが確認される。操作されなかった場合（ステップＳ２１；Ｎｏ）、ステップＳ３１に進む。操作された場合（ステップＳ２１；Ｙｅｓ）、ステップＳ２３「連続ページ送りサブルーチン」が実行され、ステップＳ１１に戻る。ステップＳ２３「連続ページ送りサブルーチン」は、図６（ａ）で説明する。
【００５４】
ステップＳ３１で、戻し操作部５２が操作されたか否かが確認される。操作されなかった場合（ステップＳ３１；Ｎｏ）、ステップＳ４１に進む。操作された場合（ステップＳ３１；Ｙｅｓ）、ステップＳ３３で、表示部１０の表示が前ページに更新されて、ステップＳ１１に戻る。ここで、前ページは、記憶部６に記憶されている前ページがそのまま表示される。
【００５５】
ステップＳ４１で、連続戻し操作部５４が操作されたか否かが確認される。操作されなかった場合（ステップＳ４１；Ｎｏ）、ステップＳ５１に進む。操作された場合（ステップＳ４１；Ｙｅｓ）、ステップＳ４３「連続ページ戻しサブルーチン」が実行され、ステップＳ１１に戻る。ステップＳ４３「連続ページ戻しサブルーチン」は、図６（ｂ）で説明する。
【００５６】
ステップＳ５１で、情報表示装置１の電源がオフされたか否かが確認される。オフされた場合（ステップＳ５１；Ｙｅｓ）、一連の動作が終了される。オフされなかった場合（ステップＳ５１；Ｎｏ）、ステップＳ１１に戻り、上述した各ステップが繰り返される。
【００５７】
図６（ａ）のステップＳ２３「連続ページ送りサブルーチン」において、ステップＳ２３１で、次ページと、次ページが有する特徴領域２８を拡大したものとが合成されて、合成ページ２９が生成される。ステップＳ２３３で、ステップＳ２３１で生成された合成ページ２９が表示部１０に表示される。合成ページ２９の表示の例については、図７で説明する。
【００５８】
ステップＳ２３５で、連続送り操作部５３の操作が終了されたか否かが確認される。終了されなかった場合（ステップＳ２３５；Ｎｏ）、ステップＳ２３１に戻り、次々ページの合成ページが生成され、以後、上述した各ステップが繰り返される。
【００５９】
終了された場合（ステップＳ２３５；Ｙｅｓ）、ステップＳ２３７で、表示部１０に表示されている合成ページ２９が、合成前の通常のページ２０に戻して表示され、図５のステップＳ２３に戻る。
【００６０】
図６（ｂ）のステップＳ４３「連続ページ戻しサブルーチン」において、ステップＳ４３１で、前ページと、前ページが有する特徴領域２８を拡大したものとが合成されて、合成ページ２９が生成される。ステップＳ４３３で、ステップＳ４３１で生成された合成ページ２９が表示部１０に表示される。合成ページ２９の表示の例については、図７で説明する。
【００６１】
ステップＳ４３５で、連続戻し操作部５４の操作が終了されたか否かが確認される。終了されなかった場合（ステップＳ４３５；Ｎｏ）、ステップＳ４３１に戻り、前々ページの合成ページが生成され、以後、上述した各ステップが繰り返される。
【００６２】
終了された場合（ステップＳ４３５；Ｙｅｓ）、ステップＳ４３７で、表示部１０に表示されている合成ページ２９が、合成前の通常のページ２０に戻して表示され、図５のステップＳ４３に戻る。
【００６３】
次に、連続ページ送りあるいは連続ページ戻し動作時の合成ページの表示の例について、図７を用いて説明する。図７は、合成ページの表示の例を示す模式図で、図７（ａ）は記憶部６に記憶されている通常のページ２０の例、図７（ｂ）は合成ページ２９の例である。
【００６４】
図７（ａ）において、ここでは、記憶部６に記憶されている通常のページ２０は、アルファベットで記載された文書２２と、ページ２０の左下に配置された人の顔の画像２６とで構成されているとする。
【００６５】
図７（ｂ）において、表示部１０に表示される合成ページ２９は、図７（ａ）のページ２０の前面の中央に、画像２６を所定の倍率（例えば２倍）で拡大あるいは縮小した画像２６ａを合成して生成される。これによって、ページ２０の特徴領域２８である画像２６が、拡大画像２６ａとして表示部１０の中央に大きく表示されるので、ページ２０の特徴が分かりやすく、目的のページ２０の検索が容易となる。
【００６６】
なお、合成ページ２９での画像２６ａの大きさについては、所定の倍率での拡大あるいは縮小以外に、等倍で表示してもよいし、あるいは、例えば画像２６ａの幅ｄ２６ａが表示部１０の表示領域の短辺の幅ｄ１０の１／２以上〜短辺の幅ｄ１０以下の範囲になるように拡大、あるいは縮小してもよい。
【００６７】
また、合成ページ２９での画像２６ａの表示位置については、表示部１０の中央以外に、例えば通常のページ２０での特徴領域２８の位置の真上や近傍であってもよい。
【００６８】
ここでは、ページ２０の特徴領域２８である画像２６そのものを拡大して合成ページ２９を生成したが、特徴領域２８そのものの代わりに、特徴領域２８の内容を表すマーク、例えば画像２６を表すマークや図２３を表すマーク等を用いて合成ページ２９を生成してもよい。
【００６９】
上述したように、第１の実施の形態によれば、連続送り操作部あるいは連続戻し操作部が操作されると、次ページあるいは前ページの前面に、そのページの特徴領域を重ねた合成ページを生成して表示部の表示を更新し、連続送り操作部あるいは連続戻し操作部が操作されている間合成ページの生成と更新とを繰り返し行うことで、更新されたページの特徴が素早く簡単に把握でき、目的のページが容易に検索できる情報表示装置を提供することができる。
【００７０】
次に、本発明における情報表示装置の第２の実施の形態の構成の一例を、図８を用いて説明する。図８は、本発明における情報表示装置の第２の実施の形態の構成の一例を示す外観模式図である。
【００７１】
第２の実施の形態が図１の第１の実施の形態と異なる点は、操作部５が、連続送り操作部５３を兼ねる送り操作部５１と、連続戻し操作部５４を兼ねる戻し操作部５２の２つのみで構成されている点である。その他の点は、第１の実施の形態と同じであるので、説明は省略する。
【００７２】
具体的には、送り操作部５１が１度押されると、送り操作として認識され、送り操作部５１が所定時間以上押し続けられると、連続送り操作として認識される。戻し操作と連続戻し操作についても同じである。ここに、送り操作部５１および戻し操作部５２は、本発明におけるページ更新操作部および連続ページ更新操作部として機能する。
【００７３】
次に、第２の実施の形態の動作について、図９を用いて説明する。図９は、第２の実施の形態の動作を示すフローチャートである。図中、図５および図６の各ステップと同じ動作を行うステップには、同一のステップ番号を付与してある。
【００７４】
図９において、ステップＳ１１で、送り操作部５１が押されたか否かが確認される。押されなかった場合（ステップＳ１１；Ｎｏ）、ステップＳ３１に進む。押された場合（ステップＳ１１；Ｙｅｓ）、ステップＳ６１で、送り操作部５１が所定時間以上押し続けられているか否かが確認される。
【００７５】
所定時間以上押し続けられていない場合（ステップＳ６１；Ｎｏ）、送り操作と認識されて、ステップＳ１３で、表示部１０の表示が次ページに更新されて、ステップＳ１１に戻る。ここで、次ページは、記憶部６に記憶されている次ページがそのまま表示される。
【００７６】
所定時間以上押し続けられている場合（ステップＳ６１；Ｙｅｓ）、連続送り操作と認識されて、ステップＳ２３「連続ページ送りサブルーチン」が実行され、ステップＳ１１に戻る。ステップＳ２３「連続ページ送りサブルーチン」は、図６（ａ）と同じである。
【００７７】
ステップＳ３１で、戻し操作部５２が押されたか否かが確認される。押されなかった場合（ステップＳ３１；Ｎｏ）、ステップＳ５１に進む。押された場合（ステップＳ３１；Ｙｅｓ）、ステップＳ７１で、戻し操作部５２が所定時間以上押し続けられているか否かが確認される。
【００７８】
所定時間以上押し続けられていない場合（ステップＳ７１；Ｎｏ）、戻し操作と認識されて、ステップＳ３３で、表示部１０の表示が前ページに更新されて、ステップＳ１１に戻る。ここで、前ページは、記憶部６に記憶されている前ページがそのまま表示される。
【００７９】
所定時間以上押し続けられている場合（ステップＳ７１；Ｙｅｓ）、連続戻し操作と認識されて、ステップＳ４３「連続ページ戻しサブルーチン」が実行され、ステップＳ１１に戻る。ステップＳ４３「連続ページ戻しサブルーチン」は、図６（ｂ）と同じである。
【００８０】
ステップＳ５１で、情報表示装置１の電源がオフされたか否かが確認される。オフされた場合（ステップＳ５１；Ｙｅｓ）、一連の動作が終了される。オフされなかった場合（ステップＳ５１；Ｎｏ）、ステップＳ１１に戻し、上述した各ステップが繰り返される。
【００８１】
上述したように、第２の実施の形態によれば、第１の実施の形態の効果に加えて、送り操作部で送り操作と連続送り操作を兼ね、戻し操作部で戻し操作と連続戻し操作を兼ねることで、部品点数の削減と低コスト化および操作の簡略化を実現することができる。
【００８２】
以上に述べたように、本発明によれば、連続ページ更新操作部を有し、連続ページ更新操作部が操作されると、更新ページの前面に更新ページの特徴領域を重ねた合成ページを生成して表示部への表示を更新し、連続ページ更新操作部が操作されている間、合成ページの生成と更新とを繰り返し行うことで、更新されたページの特徴が素早く簡単に把握でき、目的のページが容易に検索できる情報表示装置を提供することができる。
【００８３】
なお、本発明に係る情報表示装置を構成する各構成の細部構成および細部動作に関しては、本発明の趣旨を逸脱することのない範囲で適宜更新可能である。
【符号の説明】
【００８４】
１  情報表示装置
２  表示制御部
３  ＣＰＵ
４  表示コントローラ
４１  コモン電圧駆動回路
５  操作部
５１  送り操作部
５２  戻し操作部
５３  連続送り操作部
５４  連続戻し操作部
６  記憶部
９  バス
１０  表示部
２０  ページ
２１  ページ番号
２２  文書
２３  図
２４  表
２５  手書き領域
２５ａ  （手書きされた）線
２５ｂ  （手書きされた）文字
２５ｃ  地の部分
２６  画像
２６ａ  拡大画像
２７  追記領域
２８  特徴領域
２９  合成ページ
Ｄ２０  （ページ２０の）情報ファイル
Ｄ２１  ページ番号データ
Ｄ２２  文書データ
Ｄ２３  図データ
Ｄ２４  表データ
Ｄ２２５  手書き領域データ
Ｄ２８  特徴領域属性データ
【図１】
2010224358.tif 000003
【図２】
2010224358.tif 000004
【図３】
2010224358.tif 000005
【図４】
2010224358.tif 000006
【図５】
2010224358.tif 000007
【図６】
2010224358.tif 000008
【図７】
2010224358.tif 000009
【図８】
2010224358.tif 000010
【図９】
2010224358.tif 000011
【図１０】
2010224358.tif 000012
【図１１】
2010224358.tif 000013